(57)【要約】      （修正有）【課題】信号灯器の点灯制御に関する制御情報の通信品質を向上することにより、信号灯器の点灯制御を正確に行うことができる防災型信号制御無線システム、信号制御無線親局および信号制御無線子局を提供する。【解決手段】防災型信号制御無線システム１００は、中央処理装置３から信号灯器５Ａ，５Ｂ，５Ｃの点灯の制御に関する制御情報を受信し、受信した制御情報を送信するための信号制御無線親局１と、信号制御無線親局１から制御情報を受信し、受信した制御情報を送信するための信号制御無線子局２Ａ，２Ｂ，２Ｃと、信号制御無線子局２Ａ，２Ｂ，２Ｃのうち、対応の信号制御無線子局から制御情報を受信し、受信した制御情報に基づいて信号灯器５Ａ，５Ｂ，５Ｃの点灯を制御するための交通信号制御機７Ａ，７Ｂ，７Ｃとを備え、信号制御無線親局１は、信号制御無線子局２Ａ，２Ｂ，２Ｃへの制御情報の送信に用いられる親局アンテナを複数含む。【選択図】図１
2014052768.tif 000002
【特許請求の範囲】
【請求項１】
防災型信号制御無線システムであって、
中央処理装置から信号灯器の点灯の制御に関する制御情報を受信し、受信した前記制御情報を送信するための信号制御無線親局と、
前記信号制御無線親局から前記制御情報を受信し、受信した前記制御情報を送信するための複数の信号制御無線子局と、
複数の前記信号制御無線子局のうち、対応の前記信号制御無線子局から前記制御情報を受信し、受信した前記制御情報に基づいて前記信号灯器の点灯を制御するための複数の交通信号制御機とを備え、
前記信号制御無線親局は、前記信号制御無線子局への前記制御情報の送信に用いられる親局アンテナを複数含み、前記信号制御無線子局ごとに、複数の前記親局アンテナのうち少なくともいずれか１つの親局アンテナが対応づけられ、
前記信号制御無線親局は、前記制御情報に含まれる識別情報に基づいて、前記制御情報の送信先である信号制御無線子局を特定し、特定した信号制御無線子局に対応づけられた親局アンテナを用いて前記信号制御無線子局へ前記制御情報を送信し、
前記信号制御無線子局は、前記信号制御無線親局から受信した前記制御情報を、対応の前記交通信号制御機へ送信し、前記交通信号制御機から、前記交通信号制御機が前記制御情報を正常に受信したか否かを示す応答信号を受信し、受信した前記応答信号を前記信号制御無線親局へ送信する、防災型信号制御無線システム。
【請求項２】
前記信号制御無線親局は、複数の前記親局アンテナのうち所定の親局アンテナを用いて、前記中央処理装置から前記制御情報を受信する、請求項１に記載の防災型信号制御無線システム。
【請求項３】
前記信号制御無線親局は、複数の前記親局アンテナのうち、前記信号制御無線子局への前記制御情報の送信に用いた親局アンテナを用いて、前記信号制御無線子局から前記応答信号を受信する、請求項１または請求項２に記載の防災型信号制御無線システム。
【請求項４】
複数の前記親局アンテナのうち少なくともいずれか２つは、前記親局アンテナを取り付けるための取付柱を中心として３０°以上離れて設けられている、請求項１から請求項３のいずれか１項に記載の防災型信号制御無線システム。
【請求項５】
前記信号制御無線子局は、前記信号制御無線親局からの前記制御情報の受信に用いられる子局アンテナを複数含む、請求項１から請求項４のいずれか１項に記載の防災型信号制御無線システム。
【請求項６】
前記信号制御無線子局は、複数の前記子局アンテナによりそれぞれ受信した無線信号に含まれる前記制御情報のうち、受信電力が所定条件を満たす前記無線信号に含まれる制御情報を選択し、選択した制御情報を対応の前記交通信号制御機へ送信し、前記交通信号制御機から前記応答信号を受信すると、複数の前記子局アンテナのうち、前記選択した制御情報に対応する子局アンテナを用いて、前記応答信号を前記信号制御無線親局へ送信する、請求項５に記載の防災型信号制御無線システム。
【請求項７】
信号灯器の点灯の制御に関する制御情報を受信し、受信した前記制御情報を送信するための複数の信号制御無線子局と、
複数の前記信号制御無線子局のうち、対応の前記信号制御無線子局から前記制御情報を受信し、受信した前記制御情報に基づいて前記信号灯器の点灯を制御するための複数の交通信号制御機とを備える防災型信号制御無線システムにおける信号制御無線親局であって、
中央処理装置から前記制御情報を受信するための親局受信部と、
前記制御情報の送信に用いられる複数の親局アンテナと、
前記制御情報を、前記親局アンテナから前記信号制御無線子局へ送信するための親局送信部とを含み、
前記信号制御無線子局ごとに、複数の前記親局アンテナのうち少なくともいずれか１つの親局アンテナが対応づけられ、
前記親局送信部は、前記制御情報に含まれる識別情報に基づいて前記制御情報の送信先として特定された信号制御無線子局、に対応づけられた親局アンテナを用いて、前記信号制御無線子局へ前記制御情報を送信する、信号制御無線親局。
【請求項８】
中央処理装置から信号灯器の点灯の制御に関する制御情報を受信し、受信した前記制御情報を送信するための信号制御無線親局と、
前記制御情報を受信し、受信した前記制御情報に基づいて前記信号灯器の点灯を制御するための複数の交通信号制御機とを備える防災型信号制御無線システムにおける信号制御無線子局であって、
前記信号制御無線親局から送信される前記制御情報を受信するための子局受信部と、
前記制御情報の受信に用いられる複数の子局アンテナと、
前記子局受信部により前記信号制御無線親局から受信された前記制御情報を、対応の前記交通信号制御機へ送信するための子局送信部とを含み、
前記子局受信部は、前記交通信号制御機から、前記交通信号制御機が前記制御情報を正常に受信したか否かを示す応答信号を受信し、
前記子局送信部は、前記子局受信部により受信された前記応答信号を前記信号制御無線親局へ送信する、信号制御無線子局。
【発明の詳細な説明】
【技術分野】
【０００１】
本発明は、防災型信号制御無線システム、信号制御無線親局および信号制御無線子局に関し、特に、災害時において信号灯器の点灯制御のための制御情報を無線通信により送受信する防災型信号制御無線システム、信号制御無線親局および信号制御無線子局に関する。
【背景技術】
【０００２】
従来、警視庁の交通管制センターなどに設けられた中央処理装置から送信される信号制御パラメータを含む制御情報に従って、信号灯器の点灯タイミングまたは点灯色を制御するための交通信号制御機を備えた信号制御システムが知られている。
【０００３】
たとえば、特開平５−２６６３９５号公報（特許文献１）には、中央処理装置により送信される制御パラメータを受信する受信アンテナと、通常時には受信した制御パラメータに基づいて信号灯器を制御する信号灯器制御部と、交差点の交通量をループコイルで検知して、検知結果を中央処理装置に対して送信する送信アンテナと、当該交差点を制御するに最適な制御パラメータを曜日および時刻に対応させて記憶する記憶部と、制御パラメータを受信できなかった場合に、記憶部の内容に基づいて各信号灯器を制御する異常時対応手段とを備える、制御装置が開示されている。
【先行技術文献】
【特許文献】
【０００４】
【特許文献１】特開平５−２６６３９５号公報
【発明の概要】
【発明が解決しようとする課題】
【０００５】
また、震災等の災害時においては、たとえば都心への車両の流入を防ぐなどの通行規制を行うための防災型信号制御システムが知られている。このような防災型信号制御システムによれば、災害が発生したことが交通管制センターなどにおいて認識されると、災害時用の制御情報が中央処理装置から各信号灯器の交通信号制御機へ送信され、各交通信号制御機が当該制御情報に基づいて対応の信号灯器の点灯を制御する。
【０００６】
また、中央処理装置から各交通信号制御機への制御情報の送信は、通常時には、有線通信により行われるが、災害時における停電等によって有線通信が正常に行われない場合には、無線通信に切り替えられて無線通信により制御情報の送信が行われる。
【０００７】
この場合、たとえば、交通管制センターに設けられた無線中央局が中央処理装置から制御情報を取得して、高い建物の屋上またはアンテナ鉄塔上に取り付けられた中継局へ当該制御情報を送信する。そして、当該中継局が、受信した制御情報を信号灯器ごとに設けられた複数の無線機へ、それぞれ対応する制御情報を送信する。そして、各無線機が中継局から受信した制御情報を、自己に対応する交通信号制御機へ送信し、交通信号制御機が当該制御情報に基づいて信号灯器の点灯制御を行う。
【０００８】
ところで、このような防災型信号制御無線システムにおいて、中継局は、一般的に、信号灯器ごとに設けられた複数の無線機への制御情報の送信を可能にするため、無指向性のアンテナが用いられる。しかしながら、比較的高い位置に取り付けられている無指向性のアンテナであっても、周囲の環境の影響を受けることにより、方向によっては当該アンテナにより送信される無線信号の受信電力に強弱の差が生じてしまうことがある。そして、当該アンテナにより送信される無線信号の減衰が大きくなる方向に無線機が設置されている場合、当該無線機へ良好な品質で制御情報の送信を行うことができず、信号灯器の点灯制御に支障をきたす虞がある。
【０００９】
また、中継局から無線機への無線信号の送信電力を大きくすることによって、中継局と無線機との間における通信品質の向上を図ることが考えられる。しかしながら、無線設備規則によって、道路交通情報通信を行う無線局による送信電力の許容値には上限が定められており（無線設備規則第１４条）、この上限を超える電力で無線信号の送信を行うことはできない。
【００１０】
この発明は、上述の課題を解決するためになされたもので、その目的は、信号灯器の点灯制御に関する制御情報の通信品質を向上することにより、信号灯器の点灯制御を正確に行うことができる防災型信号制御無線システム、信号制御無線親局および信号制御無線子局を提供することである。
【課題を解決するための手段】
【００１１】
（１）上記課題を解決するために、この発明のある局面に係わる防災型信号制御無線システムは、中央処理装置から信号灯器の点灯の制御に関する制御情報を受信し、受信した上記制御情報を送信するための信号制御無線親局と、上記信号制御無線親局から上記制御情報を受信し、受信した上記制御情報を送信するための複数の信号制御無線子局と、複数の上記信号制御無線子局のうち、対応の上記信号制御無線子局から上記制御情報を受信し、受信した上記制御情報に基づいて上記信号灯器の点灯を制御するための複数の交通信号制御機とを備え、上記信号制御無線親局は、上記信号制御無線子局への上記制御情報の送信に用いられる親局アンテナを複数含み、上記信号制御無線子局ごとに、複数の上記親局アンテナのうち少なくともいずれか１つの親局アンテナが対応づけられ、上記信号制御無線親局は、上記制御情報に含まれる識別情報に基づいて、上記制御情報の送信先である信号制御無線子局を特定し、特定した信号制御無線子局に対応づけられた親局アンテナを用いて上記信号制御無線子局へ上記制御情報を送信し、上記信号制御無線子局は、上記信号制御無線親局から受信した上記制御情報を、対応の上記交通信号制御機へ送信し、上記交通信号制御機から、上記交通信号制御機が上記制御情報を正常に受信したか否かを示す応答信号を受信し、受信した上記応答信号を上記信号制御無線親局へ送信する。
【００１２】
このような構成により、複数の親局アンテナのうち、一部の親局アンテナにより送信される無線信号の受信電力に強弱の差が生じる場合であっても、当該受信電力の小さい方向を、他の親局アンテナから送信される無線信号によって補うことによって、多方向における制御情報の通信品質を向上させることができ、信号灯器の点灯制御を正確に行うことができる。
【００１３】
また、このような構成により、信号制御無線子局が複数設けられている場合であっても、たとえば、信号制御無線子局ごとに、各親局アンテナにより送信される無線信号の減衰度合いの分布と、信号制御無線親局および信号制御無線子局の設置位置の関係とに基づいて、複数の親局アンテナのうち、各信号制御無線子局が設置されている方向への無線信号の減衰が小さい親局アンテナを、当該信号制御無線子局と対応づけておくことができる。これにより、当該信号制御無線子局への制御情報の送信の度に複数の親局アンテナの中から送信に用いる親局アンテナを選択するなどの複雑な処理を行うことなく、良好な通信品質で当該信号制御無線子局へ制御情報を送信することができる。
【００１４】
また、このように、信号制御無線子局が応答信号を信号制御無線親局へ送信することにより、正確な制御情報を送信することができたか否かを確認することができる。
【００１５】
（２）好ましくは、上記信号制御無線親局は、複数の上記親局アンテナのうち所定の親局アンテナを用いて、上記中央処理装置から上記制御情報を受信する。
【００１６】
このような構成により、たとえば、複数の親局アンテナのうち中央処理装置との間における通信品質が最も良い親局アンテナを、所定の親局アンテナとして予め対応づけておくことによって、中央処理装置からの無線信号の受信の度に複数の親局アンテナの中から受信に用いる親局アンテナを選択するなどの複雑な処理を行うことなく、良好な通信品質で中央処理装置から制御情報を受信することができる。
【００１７】
（３）好ましくは、上記信号制御無線親局は、複数の上記親局アンテナのうち、上記信号制御無線子局への上記制御情報の送信に用いた親局アンテナを用いて、上記信号制御無線子局から上記応答信号を受信する。
【００１８】
このような構成により、信号制御無線親局が、たとえば、複数の親局アンテナのうち信号制御無線子局との間における通信品質が最も良い親局アンテナを用いて信号制御無線子局へ制御情報を送信した場合、当該親局アンテナを再び用いて信号制御無線子局から送信される応答信号を受信するため、良好な通信品質で応答信号を受信することができる。
【００１９】
（４）好ましくは、複数の上記親局アンテナのうち少なくともいずれか２つは、上記親局アンテナを取り付けるための取付柱を中心として３０°以上離れて設けられている。
【００２０】
ここで、たとえば信号制御無線親局が互いに近い距離に設けられた２つの親局アンテナを含む場合であって、取付柱の影響を受けることによって、一方の親局アンテナから送信される無線信号の受信電力に強弱の差が生じるとき、他方の親局アンテナから送信される無線信号もまた、取付柱によって同様の影響を受ける可能性が高い。すなわち、この場合、一方の親局アンテナから送信される無線信号の減衰が大きくなる方向と、他方の親局アンテナから送信される無線信号の減衰が大きくなる方向とが同一の方向となる可能性が高く、当該方向に設置された信号制御無線子局へ良好な通信品質で制御情報を送信することができない虞がある。
【００２１】
これに対して、上記のように、複数の親局アンテナのうち少なくとも２つは、取付柱を中心として３０°以上離れて設けられているため、一方の親局アンテナから送信される無線信号の減衰が大きくなる方向と、他方の親局アンテナから送信される無線信号の減衰が大きくなる方向とが同一の方向となることを防ぎ、多方向における制御情報の通信品質をより確実に向上させることができる。
【００２２】
（５）好ましくは、上記信号制御無線子局は、上記信号制御無線親局からの上記制御情報の受信に用いられる子局アンテナを複数含む。
【００２３】
このような構成により、ある子局アンテナを用いた信号制御無線親局との間の通信品質が十分でない場合であっても、信号制御無線親局との間における通信品質の良い他の子局アンテナを用いて無線通信を行うことにより、信号制御無線親局から送信される制御情報を良好な通信品質で受信することができる。
【００２４】
（６）好ましくは、上記信号制御無線子局は、複数の上記子局アンテナによりそれぞれ受信した無線信号に含まれる上記制御情報のうち、受信電力が所定条件を満たす上記無線信号に含まれる制御情報を選択し、選択した制御情報を対応の上記交通信号制御機へ送信し、上記交通信号制御機から上記応答信号を受信すると、複数の上記子局アンテナのうち、上記選択した制御情報に対応する子局アンテナを用いて、上記応答信号を上記信号制御無線親局へ送信する。
【００２５】
このように、たとえば、各子局アンテナにより受信した無線信号のうち、受信電力が最も大きい無線信号に含まれる制御情報を交通信号制御機へ送信するなど、より正確な制御情報を選択して交通信号制御機へ送信することにより、信号灯器の点灯制御をより正確に行うことができる。
【００２６】
また、このように、既に信号制御無線親局との通信に用いた子局アンテナを再び用いて応答信号の送信を行うことにより、信号制御無線親局への応答信号の送信を良好な通信品質で行うことができる。
【００２７】
（７）上記課題を解決するために、この発明のある局面に係わる信号制御無線親局は、信号灯器の点灯の制御に関する制御情報を受信し、受信した上記制御情報を送信するための複数の信号制御無線子局と、複数の上記信号制御無線子局のうち、対応の上記信号制御無線子局から上記制御情報を受信し、受信した上記制御情報に基づいて上記信号灯器の点灯を制御するための複数の交通信号制御機とを備える防災型信号制御無線システムにおける信号制御無線親局であって、中央処理装置から上記制御情報を受信するための親局受信部と、上記制御情報の送信に用いられる複数の親局アンテナと、上記制御情報を、上記親局アンテナから上記信号制御無線子局へ送信するための親局送信部とを含み、上記信号制御無線子局ごとに、複数の上記親局アンテナのうち少なくともいずれか１つの親局アンテナが対応づけられ、上記親局送信部は、上記制御情報に含まれる識別情報に基づいて上記制御情報の送信先として特定された信号制御無線子局、に対応づけられた親局アンテナを用いて、上記信号制御無線子局へ上記制御情報を送信する。
【００２８】
このような構成により、複数の親局アンテナのうち、一部の親局アンテナにより送信される無線信号の受信電力に強弱の差が生じる場合であっても、当該受信電力の小さい方向を、他の親局アンテナから送信される無線信号によって補うことによって、多方向における制御情報の通信品質を向上させることができ、信号灯器の点灯制御を正確に行うことができる。
【００２９】
また、このような構成により、信号制御無線子局が複数設けられている場合であっても、たとえば、信号制御無線子局ごとに、各親局アンテナにより送信される無線信号の減衰度合いの分布と、信号制御無線親局および信号制御無線子局の設置位置の関係とに基づいて、複数の親局アンテナのうち、信号制御無線子局が設置されている方向への無線信号の減衰が小さい親局アンテナを、当該信号制御無線子局と対応づけておくことができる。これにより、当該信号制御無線子局への制御情報の送信の度に複数の親局アンテナの中から送信に用いる親局アンテナを選択するなどの複雑な処理を行うことなく、良好な通信品質で当該信号制御無線子局へ制御情報を送信することができる。
【００３０】
（８）上記課題を解決するために、この発明のある局面に係わる信号制御無線子局は、中央処理装置から信号灯器の点灯の制御に関する制御情報を受信し、受信した上記制御情報を送信するための信号制御無線親局と、上記制御情報を受信し、受信した上記制御情報に基づいて上記信号灯器の点灯を制御するための複数の交通信号制御機とを備える防災型信号制御無線システムにおける信号制御無線子局であって、上記信号制御無線親局から送信される上記制御情報を受信するための子局受信部と、上記制御情報の受信に用いられる複数の子局アンテナと、上記子局受信部により上記信号制御無線親局から受信された上記制御情報を、対応の上記交通信号制御機へ送信するための子局送信部とを含み、上記子局受信部は、上記交通信号制御機から、上記交通信号制御機が上記制御情報を正常に受信したか否かを示す応答信号を受信し、上記子局送信部は、上記子局受信部により受信された上記応答信号を上記信号制御無線親局へ送信する。
【００３１】
このような構成により、ある子局アンテナを用いた信号制御無線親局との間の通信品質が十分でない場合であっても、信号制御無線親局との間における通信品質の良い他の子局アンテナを用いて無線通信を行うことにより、信号制御無線親局から送信される制御情報を良好な通信品質で受信することができる。
【００３２】
また、このように、信号制御無線子局が応答信号を信号制御無線親局へ送信することにより、正確な制御情報を送信することができたか否かを確認することができる。
【発明の効果】
【００３３】
本発明に係る防災型信号制御無線システム、信号制御無線親局および信号制御無線子局によれば、信号灯器の点灯制御に関する制御情報の通信品質を向上することにより、信号灯器の点灯制御を正確に行うことができる。
【図面の簡単な説明】
【００３４】
【図１】本発明の実施の形態に係る防災型信号制御無線システムを説明するための図である。
【図２】図１に示す防災型信号制御無線システムにおける、信号の送受信の流れを示すブロック図である。
【図３】（ａ）は、比較例である信号制御無線親局の設置位置を説明するための図であり、（ｂ）は、比較例である信号制御無線親局を（ａ）の矢印Ｘ１に示す方向から見た状況を示す図である。
【図４】図３（ｂ）に示す信号制御無線親局の無線送受信特性を示す図である。
【図５】（ａ）は、本発明の実施の形態に係る信号制御無線親局の設置状況を説明するための図であり、（ｂ）は、本発明の実施の形態に係る信号制御無線親局を（ａ）の矢印Ｘ２に示す方向から見た状況を示す図である。
【図６】図５（ｂ）に示す信号制御無線親局の無線送受信特性を示す図である。
【図７】本発明の実施の形態に係る信号制御無線親局の構成を示す図である。
【図８】図７に示す制御部の詳細な構成を示す図である。
【図９】本発明の実施の形態に係る信号制御無線子局の構成を示す図である。
【図１０】図９に示す制御部の詳細な構成を示す図である。
【図１１】本発明の実施の形態に係る防災型信号制御無線システムによる信号灯器の点灯制御の動作手順を示すシーケンス図である。
【図１２】変形例１に係る防災型信号制御無線システムによる信号灯器の点灯制御の動作手順を示すシーケンス図である。
【図１３】変形例２に係る防災型信号制御無線システムによる信号灯器の点灯制御の動作手順を示すシーケンス図である。
【発明を実施するための形態】
【００３５】
［構成および基本動作］
以下、本発明の実施の形態について図面を用いて説明する。なお、図中同一または相当部分には同一符号を付してその説明は繰り返さない。
【００３６】
（防災型信号制御無線システムの構成）
図１は、本発明の実施の形態に係る防災型信号制御無線システムを説明するための図である。また、図２は、図１に示す防災型信号制御無線システムにおける、信号の送受信の流れを示すブロック図である。
【００３７】
図１および図２を参照して、本発明の実施の形態に係る防災型信号制御無線システム１００は、信号制御無線親局１と、信号制御無線子局２Ａ，２Ｂ，２Ｃと、中央処理装置３と、無線中央局４と、信号灯器５Ａ，５Ｂ，５Ｃと、端末アダプタ６Ａ，６Ｂ，６Ｃと、交通信号制御機７Ａ，７Ｂ，７Ｃと、発動発電機８Ａ，８Ｂ，８Ｃとを備える。
【００３８】
中央処理装置３および無線中央局４は、たとえば警視庁の交通管制センターに設けられている。中央処理装置３は、端末アダプタ６Ａ，６Ｂ，６Ｃと専用回線により接続されており、この専用回線を用いて端末アダプタ６Ａ，６Ｂ，６Ｃとの間で有線通信を行う。また、中央処理装置３は、端末アダプタ６Ａ，６Ｂ，６Ｃとの間における有線通信を正常に行うことが可能な状況であるか否かを監視し、有線通信を正常に行うことができない状況であると判断した場合には、端末アダプタ６Ａ，６Ｂ，６Ｃとの間で無線通信を行う。
【００３９】
具体的には、中央処理装置３は、専用回線を用いて端末アダプタ６Ａ，６Ｂ，６Ｃへ定期的に信号を送信し、端末アダプタ６Ａ，６Ｂ，６Ｃからの応答を所定時間内に受信するか否かを確認する。そして、中央処理装置３は、所定時間内に上記応答を受信した場合には、有線通信を正常に行うことができる状況であると判断する。一方、中央処理装置３は、所定時間内に上記応答を受信しない場合には、有線通信を正常に行うことができない状況であると判断する。
【００４０】
中央処理装置３と端末アダプタ６Ａ，６Ｂ，６Ｃとの間で無線通信が行われる場合には、中央処理装置３は、無線中央局４へ例えば有線で信号を送信し、無線中央局４が、信号制御無線親局１を経由して信号制御無線子局２Ａ，２Ｂ，２Ｃへ無線信号を送信する。そして、信号制御無線子局２Ａ，２Ｂ，２Ｃが、受信した無線信号に含まれる信号制御パラメータを含む制御情報を取得し、取得した当該制御情報を、対応の端末アダプタ６Ａ，６Ｂ，６Ｃへ出力する。
【００４１】
なお、制御情報とは、信号灯器５Ａ，５Ｂ，５Ｃの点灯タイミングまたは点灯色を制御するための情報であり、たとえば中央処理装置３において設定される。
【００４２】
信号制御無線親局１は、たとえば建物の上またはアンテナ鉄塔上に取り付けられた無線機であり、無線中央局４、および、信号制御無線子局２Ａ，２Ｂ，２Ｃとの間で無線通信を行う。信号制御無線親局１は、無線中央局４から制御情報を含む無線信号を受信すると、受信した無線信号を信号制御無線子局２Ａ，２Ｂ，２Ｃへ送信する。
【００４３】
信号制御無線子局２Ａは端末アダプタ６Ａと接続され、信号制御無線子局２Ｂは端末アダプタ６Ｂと接続され、信号制御無線子局２Ｃは端末アダプタ６Ｃと接続されている。信号制御無線子局２Ａ，２Ｂ，２Ｃは、信号制御無線親局１から無線信号を受信すると、各種信号処理を行うことによって当該無線信号に含まれる制御情報を取得し、取得した制御情報を対応の端末アダプタ６Ａ，６Ｂ，６Ｃへ出力する。
【００４４】
なお、図１に示す例では、防災型信号制御無線システムに３つの信号制御無線子局、すなわち信号制御無線子局２Ａ，２Ｂ，２Ｃが設けられている状況を示しているが、防災型信号制御無線システムに設けられている信号制御無線子局は、１つ、２つまたは４つ以上であってもよい。
【００４５】
端末アダプタ６Ａ，６Ｂ，６Ｃは、中央処理装置３から専用回線を用いた有線通信により制御情報を受信した場合には、受信した制御情報を対応の交通信号制御機７Ａ，７Ｂ，７Ｃへ送信する。また、端末アダプタ６Ａ，６Ｂ，６Ｃは、無線中央局４、信号制御無線親局１、および、信号制御無線子局２Ａ，２Ｂ，２Ｃを介して、中央処理装置３から制御情報を受信した場合も同様に、受信した制御情報を対応の交通信号制御機７Ａ，７Ｂ，７Ｃへ送信する。
【００４６】
交通信号制御機７Ａ，７Ｂ，７Ｃは、端末アダプタ６Ａ，６Ｂ，６Ｃから受信した制御情報に従って、対応の信号灯器５Ａ，５Ｂ，５Ｃの点灯制御、すなわち点灯タイミングまたは点灯色を制御する。
【００４７】
発動発電機８Ａ，８Ｂ，８Ｃは、自己の内部で燃料を燃焼させて動力を取り出す内燃機関を有する発電機であり、停電時などの状況において、対応の信号制御無線子局２Ａ，２Ｂ，２Ｃ、信号灯器５Ａ，５Ｂ，５Ｃ、端末アダプタ６Ａ，６Ｂ，６Ｃ、および、交通信号制御機７Ａ，７Ｂ，７Ｃへの給電を行う。
【００４８】
なお、通常時には、通常時用に設定された制御情報が、専用回線を用いた有線通信により、中央処理装置３から端末アダプタ６Ａ，６Ｂ，６Ｃへ送信される。一方、交通管制センターにおいて災害が発生したことが認識されると、通常時用の制御情報に替えて災害時用の制御情報に設定し、中央処理装置３は、この災害時用の制御情報を、有線通信または無線通信により端末アダプタ６Ａ，６Ｂ，６Ｃへ送信する。中央処理装置３は、端末アダプタ６Ａ，６Ｂ，６Ｃとの間における有線通信を正常に行うことが可能な状況である場合、有線通信により制御情報を送信し、有線通信を正常に行うことができない状況である場合、無線通信により制御情報を送信する。なお、災害時用の制御情報とは、たとえば、都心への車両の流入を防ぐなど災害時特有の通行規制を行うための制御情報である。
【００４９】
以下、本発明の実施の形態に係る信号制御無線親局１および信号制御無線子局２Ａ，２Ｂ，２Ｃの詳細について説明する。
【００５０】
（信号制御無線親局の比較例の説明）
ここで、本発明の実施の形態に係る信号制御無線親局１の比較例として、信号制御無線親局５０について説明する。図３（ａ）は、比較例である信号制御無線親局の設置位置を説明するための図であり、図３（ｂ）は、比較例である信号制御無線親局を、図３（ａ）の矢印Ｘ１に示す方向から見た状況を示す図である。また、図４は、図３（ｂ）に示す信号制御無線親局の無線送受信特性を示す図である。
【００５１】
図３（ａ）および図３（ｂ）を参照して、比較例である信号制御無線親局５０は、たとえば建物の上またはアンテナ鉄塔上など、比較的高い位置に取り付けられ、親局アンテナ５１と、取付柱５２とを含む。親局アンテナ５１は、無指向性のアンテナであって、たとえば複数段のコーリニアアンテナである。取付柱５２は、たとえば金属製であって、親局アンテナ５１を取り付けるために作業者等が上り下りするための柱である。
【００５２】
このような状況において、親局アンテナ５１から無線信号が送信される場合、親局アンテナ５１は無指向性のアンテナであるにもかかわらず、周囲の環境の影響を受けることにより、方向によっては当該無線信号の受信電力に強弱の差が生じてしまうことがある。たとえば、図４に示すように、親局アンテナ５１から送信された無線信号は、取付柱５２の影響を受けることにより、取付柱５２の方向の受信電力が他の方向の受信電力に比べて小さくなることがある。
【００５３】
このように受信電力に強弱の差が生じる場合であって、親局アンテナ５１により送信される無線信号の減衰が大きくなる方向に信号制御無線子局２Ａ，２Ｂ，２Ｃのいずれかが設置されている場合、当該信号制御無線子局へ正確な制御情報が送信されず、対応の信号灯器の点灯制御に支障をきたす虞がある。
【００５４】
これに対して、本発明の実施の形態に係る信号制御無線親局１は、以下のように構成されている。
【００５５】
（本発明の信号制御無線親局の構成）
（ａ）信号制御無線親局の設置状況の説明
図５（ａ）は、本発明の実施の形態に係る信号制御無線親局の設置状況を説明するための図であり、図５（ｂ）は、本発明の実施の形態に係る信号制御無線親局を、図５（ａ）の矢印Ｘ２に示す方向から見た状況を示す図である。また、図６は、図５（ｂ）に示す信号制御無線親局の無線送受信特性を示す図である。
【００５６】
図５（ａ）および図５（ｂ）を参照して、信号制御無線親局１は、図３（ａ）および図３（ｂ）に示す比較例である信号制御無線親局５０と同様に、たとえば建物の上またはアンテナ鉄塔上など、比較的高い位置に取り付けられている。また、信号制御無線親局１は、親局アンテナ１１ａ，１１ｂと、取付柱１２とを含む。親局アンテナ１１ａ，１１ｂは、親局アンテナ５１と同様に、無指向性のアンテナであって、たとえば複数段のコーリニアアンテナである。また、取付柱１２は、取付柱５２と同様に、たとえば金属製であって、親局アンテナ１１ａ，１１ｂを取り付けるために作業者等が上り下りするための柱である。
【００５７】
これら親局アンテナ１１ａと親局アンテナ１１ｂとは、取付柱１２を中心として３０°以上離れて設けられている。すなわち、親局アンテナ１１ａと取付柱１２の中心Ｏとを結ぶ線と、親局アンテナ１１ｂと取付柱１２の中心Ｏとを結ぶ線とのなす角度のうち、鋭角側の角度θが３０°以上となるように親局アンテナ１１ａ，１１ｂが設置されている。
【００５８】
なお、ここでは、信号制御無線親局１に２つの親局アンテナ、すなわち親局アンテナ１１ａ，１１ｂが含まれている状況について説明しているが、信号制御無線親局１には３つ以上の親局アンテナが含まれていても良い。この場合、３つ以上の親局アンテナのうち、少なくともいずれか２つの親局アンテナは、取付柱１２を中心として３０°以上離れて設けられている。
【００５９】
また、親局アンテナ１１ａ，１１ｂから送信される無線信号は、取付柱１２だけでなく、他の周囲の環境の影響を受けることによって受信電力に強弱の差が生じる可能性がある。このため、たとえば、予め実験またはシミュレーションを行い、周囲の環境を把握したうえで、親局アンテナ１１ａ，１１ｂの設置を行うことが可能である。
【００６０】
このような状況において、親局アンテナ１１ａ，１１ｂからそれぞれ無線信号が送信される場合、たとえば図６に示すように、それぞれの無線信号は、受信電力に強弱の差が生じてしまうことがある。
【００６１】
しかしながら、親局アンテナ１１ａ，１１ｂは取付柱１２を中心として３０°以上離れて設けられているため、親局アンテナ１１ａ，１１ｂから送信される各無線信号が同じように取付柱１２の影響を受けたとしても、親局アンテナ１１ａから送信された無線信号の減衰が大きくなる方向と、親局アンテナ１１ｂから送信された無線信号の減衰が大きくなる方向との間にずれが生じ、一方の無線信号の減衰が大きくなる方向を、他方の無線信号によって補うことができる。
【００６２】
（ｂ）信号制御無線親局の構成
次に、信号制御無線親局１の構成について説明する。図７は、本発明の実施の形態に係る信号制御無線親局の構成を示す図である。
【００６３】
図７を参照して、信号制御無線親局１は、上述した親局アンテナ１１ａ，１１ｂと、図７において図示しない取付柱１２とに加えて、さらに、サーキュレータ１３と、受信部１４（親局受信部）と、信号処理部１５と、送信部１６（親局送信部）と、制御部１７とを含む。また、信号処理部１５は、受信信号処理部１８と、送信信号処理部１９とを有する。
【００６４】
サーキュレータ１３は、親局アンテナ１１ａ，１１ｂにより受信された無線信号を受信部１４へ出力し、また、送信部１６から受けた無線信号を親局アンテナ１１ａ，１１ｂへ出力する。
【００６５】
受信部１４は、サーキュレータ１３から受けた無線信号をベースバンド信号またはＩＦ（Intermediate Frequency）信号に周波数変換し、この周波数変換した信号をデジタル信号に変換して受信信号処理部１８へ出力する。
【００６６】
受信信号処理部１８は、受信部１４から受けたデジタル信号に対して種々の信号処理を行ない、この信号処理後の信号の一部または全部を制御部１７へ出力する。
【００６７】
送信信号処理部１９は、制御部１７から受けた信号に対して種々の信号処理を行ない、この信号処理後のデジタル信号を送信部１６へ出力する。
【００６８】
送信部１６は、送信信号処理部１９から受けたデジタル信号をアナログ信号に変換し、変換したアナログ信号を無線信号に周波数変換してサーキュレータ１３へ出力する。
【００６９】
なお、親局アンテナ１１ａ，１１ｂにより受信される無線信号には、無線中央局４を経由して中央処理装置３から送信される制御情報だけでなく、信号制御無線子局２Ａ，２Ｂ，２Ｃから送信される応答信号も含まれる。この応答信号とは、交通信号制御機７Ａ，７Ｂ，７Ｃが端末アダプタ６Ａ，６Ｂ，６Ｃを経由して信号制御無線子局２Ａ，２Ｂ，２Ｃから制御情報を正常に受信したか否かを示す受信結果を含む信号である。なお、応答信号には、さらに、信号制御無線子局２Ａ，２Ｂ，２Ｃが信号制御無線親局１から制御情報を正常に受信したか否かを示す受信結果が含まれていても良い。
【００７０】
（ｃ）信号制御無線親局の制御部の詳細な構成
次に、信号制御無線親局１の制御部１７の詳細な構成について説明する。図８は、図７に示す制御部の詳細な構成を示す図である。
【００７１】
図８を参照して、制御部１７は、信号選択部４１と、認識部４２と、送信アンテナ決定部４３と、メモリ４４とを有する。
【００７２】
信号選択部４１は、受信信号処理部１８から、親局アンテナ１１ａにより受信された無線信号の受信電力の大きさを示す情報、および、親局アンテナ１１ｂにより受信された無線信号の受信電力の大きさを示す情報を取得する。そして、信号選択部４１は、取得した受信電力の大きさを示す情報に基づいて、受信電力が大きい方の無線信号を選択する。
【００７３】
なお、信号選択部４１は、受信電力が大きい方の無線信号に限らず、たとえば、親局アンテナ１１ａ，１１ｂのうち、無線中央局４との間の無線通信における信号の誤り率が低い親局アンテナを特定し、特定した親局アンテナにより受信された無線信号を選択することも可能である。
【００７４】
また、信号選択部４１は、選択した無線信号に含まれる制御情報を受信信号処理部１８から取得し、取得した制御情報を認識部４２へ出力する。なお、制御情報には、信号制御無線子局２Ａ，２Ｂ，２Ｃのうち、制御情報の送信先である信号制御無線子局の識別情報が含まれている。
【００７５】
また、信号選択部４１は、自己の信号制御無線親局１が信号制御無線子局２Ａ，２Ｂ，２Ｃから送信される応答信号を受信する場合、制御情報を含む無線信号を受信する場合と同様に、受信信号処理部１８から、親局アンテナ１１ａにより受信された応答信号の受信電力の大きさを示す情報、および、親局アンテナ１１ｂにより受信された応答信号の受信電力の大きさを示す情報を取得して、受信電力が大きい方の応答信号を選択する。また、信号選択部４１は、選択した応答信号を受信信号処理部１８から取得し、取得した応答信号を送信アンテナ決定部４３へ出力する。
【００７６】
なお、この場合も上記と同様に、信号選択部４１は、受信電力が大きい方の応答信号に限らず、たとえば、親局アンテナ１１ａ，１１ｂのうち、信号制御無線子局２Ａ，２Ｂ，２Ｃとの間の無線通信における信号の誤り率が低い親局アンテナを特定し、特定した親局アンテナにより受信された応答信号を選択することも可能である。
【００７７】
認識部４２は、信号選択部４１から受けた制御情報に含まれている識別情報に基づいて、当該制御情報の送信先である信号制御無線子局を認識する。そして、認識部４２は、識別情報等の認識結果および信号選択部４１から受けた制御情報を送信アンテナ決定部４３へ出力する。
【００７８】
ここで、信号制御無線親局１および信号制御無線子局２Ａ，２Ｂ，２Ｃは、設置位置が固定であるため、たとえば、信号制御無線子局２Ａ，２Ｂ，２Ｃごとに、各親局アンテナ１１ａ，１１ｂにより送信される無線信号の受信電力の減衰度合いの分布と、信号制御無線親局１および信号制御無線子局２Ａ，２Ｂ，２Ｃの設置位置の関係とに基づいて、親局アンテナ１１ａ，１１ｂのうち、各信号制御無線子局が設置されている方向への無線信号の減衰度合いが小さい親局アンテナを、信号制御無線子局２Ａ，２Ｂ，２Ｃごとに予め対応づけておくことができる。
【００７９】
たとえば、信号制御無線子局２Ａには親局アンテナ１１ａが対応づけられ、信号制御無線子局２Ｂには親局アンテナ１１ｂが対応づけられ、さらに、信号制御無線子局２Ｃには親局アンテナ１１ｂが対応づけられた対応テーブルが、メモリ４４に記憶される。
【００８０】
送信アンテナ決定部４３は、メモリ４４に記憶されている上記対応テーブルを参照して、親局アンテナ１１ａ，１１ｂのうち、認識部４２により認識された信号制御無線子局に対応する親局アンテナを決定する。
【００８１】
そして、送信アンテナ決定部４３は、決定内容を示す情報、制御情報の送信先である信号制御無線子局を示す認識結果、および、制御情報を送信信号処理部１９へ出力する。
【００８２】
なお、ここでは、防災型信号制御無線システムが、信号制御無線子局を３つ備えている状況について説明しているが、防災型信号制御システムに備えられる信号制御無線子局は１つ以上であればよい。そして、たとえば、防災型信号制御システムに備えられる信号制御無線子局が１つである場合、メモリ４４には、親局アンテナ１１ａ，１１ｂのうち一方の親局アンテナが当該信号制御無線子局と対応づけられている対応テーブルが記憶される。
【００８３】
また、送信アンテナ決定部４３は、自己の信号制御無線親局１が信号制御無線子局２Ａ，２Ｂ，２Ｃから受信した応答信号を無線中央局４へ送信する場合、たとえば、親局アンテナ１１ａ，１１ｂのうち、信号選択部４１から受けた制御情報に対応する親局アンテナを、応答信号の送信に用いる親局アンテナとして決定する。そして、送信アンテナ決定部４３は、応答信号の送信に用いる親局アンテナを示す情報、および、信号選択部４１から受けた応答信号を送信信号処理部１９へ出力する。
【００８４】
送信信号処理部１９は、送信アンテナ決定部４３から、制御情報の送信に用いる親局アンテナを示す情報、制御情報の送信先である信号制御無線子局を示す認識結果、および、制御情報を受けた場合、これらの信号に対して信号処理を行い、送信部１６へ出力する。これにより、送信部１６は、信号選択部４１により選択された制御情報を、送信アンテナ決定部４３により決定された親局アンテナを用いて、制御情報の送信先である信号制御無線子局へ送信する。
【００８５】
また、送信信号処理部１９は、送信アンテナ決定部４３から、応答信号の送信に用いる親局アンテナを示す情報および応答信号を受けた場合、これらの信号に対して信号処理を行い、送信部１６へ出力する。これにより、送信部１６は、信号制御無線子局２Ａ，２Ｂ，２Ｃから受けた応答信号を、送信アンテナ決定部４３により決定された親局アンテナを用いて無線中央局４へ送信する。
【００８６】
（本発明の信号制御無線子局の構成）
（ａ）信号制御無線子局の構成
次に、本発明の実施の形態に係る信号制御無線子局２Ａ，２Ｂ，２Ｃの構成について説明する。図９は、本発明の実施の形態に係る信号制御無線子局の構成を示す図である。
【００８７】
図９を参照して、信号制御無線子局２Ａ，２Ｂ，２Ｃは、子局アンテナ２１ａ，２１ｂと、スイッチ２２と、サーキュレータ２３と、受信部２４（子局受信部）と、信号処理部２５と、送信部２６（子局送信部）と、制御部２７と、スイッチ切替部２８とを含む。また、信号処理部２５は、受信信号処理部２９と、送信信号処理部３０とを有する。
【００８８】
子局アンテナ２１ａ，２１ｂは、信号灯器５Ａ，５Ｂ，５Ｃを道路脇に設置するための信号柱などに取り付けられ、スイッチ２２が切り替えられることにより、子局アンテナ２１ａまたは子局アンテナ２１ｂが、信号制御無線親局１から送信される制御情報を含む無線信号を受信する。また、スイッチ２２が切り替えられることにより、子局アンテナ２１ａまたは子局アンテナ２１ｂが、信号制御無線親局１へ応答信号を送信する。
【００８９】
サーキュレータ２３は、子局アンテナ２１ａ，２１ｂにより受信された無線信号を受信部２４へ出力し、また、送信部２６から受けた無線信号を子局アンテナ２１ａ，２１ｂへ出力する。
【００９０】
受信部２４は、サーキュレータ２３から受けた無線信号をベースバンド信号またはＩＦ（Intermediate Frequency）信号に周波数変換し、この周波数変換した信号をデジタル信号に変換して受信信号処理部２９へ出力する。
【００９１】
受信信号処理部２９は、受信部２４から受けたデジタル信号に対して種々の信号処理を行ない、この信号処理後の信号の一部または全部を制御部２７へ出力する。
【００９２】
送信信号処理部３０は、制御部２７から受けた信号に対して種々の信号処理を行ない、この信号処理後のデジタル信号を送信部２６へ出力する。
【００９３】
送信部２６は、送信信号処理部３０から受けたデジタル信号をアナログ信号に変換し、変換したアナログ信号を無線信号に周波数変換してサーキュレータ２３へ出力する。
【００９４】
スイッチ切替部２８は、制御部２７から受けた信号に従ってスイッチ２２の切り替えを行う。これにより、子局アンテナ２１ａ，２１ｂとの間で、無線信号の送信または受信に用いられるアンテナが切り替えられる。
【００９５】
（ｂ）信号制御無線子局の制御部の詳細な構成
次に、信号制御無線子局２Ａ，２Ｂ，２Ｃの制御部２７の詳細な構成について説明する。図１０は、図９に示す制御部の詳細な構成を示す図である。
【００９６】
図１０を参照して、制御部２７は、信号選択部３１と、接続部３２と、送信アンテナ決定部３３と、受信アンテナ決定部３４とを有する。
【００９７】
信号選択部３１は、受信信号処理部２９から、子局アンテナ２１ａ，２１ｂによりそれぞれ受信された無線信号の受信電力に関する情報を取得し、取得した情報に基づき、子局アンテナ２１ａ，２１ｂによりそれぞれ受信された無線信号の中から受信電力が所定条件を満たす無線信号を選択する。
【００９８】
具体的には、信号選択部３１は、子局アンテナ２１ａにより受信された無線信号の受信電力の大きさを示す情報、および、子局アンテナ２１ｂにより受信された無線信号の受信電力の大きさを示す情報を取得する。そして、信号選択部３１は、取得した受信電力の大きさを示す情報に基づいて、受信電力が大きい方の無線信号を選択する。
【００９９】
なお、信号選択部３１は、受信電力が大きい方の無線信号に限らず、たとえば、子局アンテナ２１ａ，２１ｂのうち、信号制御無線親局１との間の無線通信における信号の誤り率が低い子局アンテナを特定し、特定した子局アンテナにより受信された無線信号を選択することも可能である。
【０１００】
また、信号選択部３１は、選択した無線信号に含まれる制御情報を受信信号処理部２９から取得し、取得した制御情報を接続部３２および送信アンテナ決定部３３へ出力する。
【０１０１】
接続部３２は、信号選択部３１から受けた制御情報を、対応の端末アダプタ６Ａ，６Ｂ，６Ｃへ出力する。これにより、対応の端末アダプタ６Ａ，６Ｂ，６Ｃは、受信した制御情報を対応の交通信号制御機７Ａ，７Ｂ，７Ｃへ送信する。そして、交通信号制御機７Ａ，７Ｂ，７Ｃは、端末アダプタ６Ａ，６Ｂ，６Ｃから受信した制御情報に従って対応する信号灯器５Ａ，５Ｂ，５Ｃの点灯を制御する。
【０１０２】
また、接続部３２は、対応の端末アダプタ６Ａ，６Ｂ，６Ｃを経由して、交通信号制御機７Ａ，７Ｂ，７Ｃから、制御情報を正常に受信したか否かを示す受信結果、すなわち応答信号を受信する。そして、接続部３２は、受信した応答信号に、さらに、自己の信号制御無線子局２Ａ，２Ｂ，２Ｃが信号制御無線親局１から制御情報を正常に受信したか否かを示す受信結果を含めて、当該応答信号を送信アンテナ決定部３３へ出力する。
【０１０３】
送信アンテナ決定部３３は、信号選択部３１から出力された制御情報を受信し、子局アンテナ２１ａ，２１ｂのうち、信号選択部３１から受けた制御情報に対応する子局アンテナを特定する。そして、送信アンテナ決定部３３は、特定した子局アンテナを、信号制御無線親局１へ応答信号を送信する際に使用する子局アンテナとして決定する。
【０１０４】
そして、送信アンテナ決定部３３は、決定した子局アンテナを示す決定結果をスイッチ切替部２８へ出力する。これにより、スイッチ切替部２８は、送信アンテナ決定部３３により決定された子局アンテナとサーキュレータ２３とが接続されるようにスイッチ２２を切り替える。
【０１０５】
受信アンテナ決定部３４は、自己の信号制御無線子局２Ａ，２Ｂ，２Ｃが信号制御無線親局１から送信される制御情報を含む無線信号を受信する際、子局アンテナ２１ａ，２１ｂの双方により当該無線信号が受信されるようにスイッチ切替部２８へ制御信号を出力する。すなわち、受信アンテナ決定部３４は、子局アンテナ２１ａ，２１ｂのうちいずれか一方の子局アンテナにより無線信号が受信されたことを示す情報を受信信号処理部２９から受けると、他方の子局アンテナにより無線信号が受信されるように制御信号をスイッチ切替部２８へ出力する。
【０１０６】
［動作］
次に、本発明の実施の形態に係る信号制御無線親局１および信号制御無線子局２を備える防災型信号制御無線システム１００による信号灯器５の点灯制御の動作について説明する。
【０１０７】
図１１は、本発明の実施の形態に係る防災型信号制御無線システムによる信号灯器の点灯制御の動作手順を示すシーケンス図である。
【０１０８】
防災型信号制御無線システム１００は、シーケンス図の各ステップを含むプログラムを図示しないメモリから読み出して実行する。このプログラムは、外部からインストールすることができる。このインストールされるプログラムは、たとえば記録媒体に格納された状態で流通する。
【０１０９】
ここでは、警視庁の交通管制センターにおいて災害が発生したことが認識され、さらに、中央処理装置３による監視の結果、端末アダプタ６Ａ，６Ｂ，６Ｃとの間の専用回線を用いた通信を正常に行うことができない状況であると判断されている場合を想定する。
【０１１０】
図１１を参照して、まず、上記のような状況において、中央処理装置３は、制御情報を災害時用に設定し、無線中央局４へ制御情報を含む信号を送信する（ステップＳ１１）。
【０１１１】
次に、無線中央局４は、中央処理装置３から受信した制御情報を含む信号を無線通信により信号制御無線親局１へ送信する（ステップＳ１２）。
【０１１２】
次に、信号制御無線親局１は、自己の親局アンテナ１１ａ，１１ｂの双方により制御情報を含む無線信号を受信し、親局アンテナ１１ａにより受信された無線信号および親局アンテナ１１ｂにより受信された無線信号のうち、受信電力が大きい方の無線信号を選択する（ステップＳ１３）。
【０１１３】
次に、信号制御無線親局１は、ステップＳ１３において選択した無線信号に含まれる制御情報を取得し、当該制御情報に含まれる識別情報に基づいて、信号制御無線子局２Ａ，２Ｂ，２Ｃのうち制御情報の送信先である信号制御無線子局を認識する（ステップＳ１４）。
【０１１４】
次に、信号制御無線親局１は、自己のメモリ１６を参照して、親局アンテナ１１ａ，１１ｂのうち、ステップＳ１４において認識した信号制御無線子局に対応する親局アンテナを、制御情報の送信に用いるアンテナとして決定する（ステップＳ１５）。
【０１１５】
次に、信号制御無線親局１は、ステップＳ１５において決定した親局アンテナを用いて、ステップＳ１４において認識した信号制御無線子局へ、制御情報を送信する（ステップＳ１６）。
【０１１６】
次に、信号制御無線子局２Ａ，２Ｂ，２Ｃは、自己の子局アンテナ２１ａ，２１ｂの双方により、信号制御無線親局１から送信された無線信号を受信する。そして、信号制御無線子局２Ａ，２Ｂ，２Ｃは、子局アンテナ２１ａにより受信された無線信号と、子局アンテナ２１ｂにより受信された無線信号とのうち、受信電力が大きい方の無線信号を選択する（ステップＳ１７）。
【０１１７】
次に、信号制御無線子局２Ａ，２Ｂ，２Ｃは、ステップＳ１７において選択した無線信号に含まれる制御情報を、対応の端末アダプタ６Ａ，６Ｂ，６Ｃへ送信する（ステップＳ１８）。そして、端末アダプタ６Ａ，６Ｂ，６Ｃは、信号制御無線子局２Ａ，２Ｂ，２Ｃから制御情報を受信すると、受信した制御情報を対応の交通信号制御機７Ａ，７Ｂ，７Ｃへ送信する（ステップＳ１９）。
【０１１８】
次に、交通信号制御機７Ａ，７Ｂ，７Ｃは、端末アダプタ６Ａ，６Ｂ，６Ｃから制御情報を受信すると、受信した制御情報に従って信号灯器５Ａ，５Ｂ，５Ｃの点灯を制御する（ステップＳ２０）。
【０１１９】
次に、交通信号制御機７Ａ，７Ｂ，７Ｃは、制御情報を正常に受信したか否かを示す受信結果、すなわち応答信号を端末アダプタ６Ａ，６Ｂ，６Ｃへ送信する（ステップＳ２１）。
【０１２０】
次に、端末アダプタ６Ａ，６Ｂ，６Ｃは、交通信号制御機７Ａ，７Ｂ，７Ｃから応答信号を受けて、当該応答信号を信号制御無線子局２Ａ，２Ｂ，２Ｃへ送信する（ステップＳ２２）。
【０１２１】
次に、信号制御無線子局２Ａ，２Ｂ，２Ｃは、子局アンテナ２１ａ，２１ｂのうち、ステップＳ１７において選択した無線信号に対応する子局アンテナを、応答信号の送信に用いる子局アンテナとして決定する（ステップＳ２３）。
【０１２２】
次に、信号制御無線子局２Ａ，２Ｂ，２Ｃは、ステップＳ２３において決定した子局アンテナを用いて、信号制御無線親局１へ応答信号を送信する（ステップＳ２４）。
【０１２３】
次に、信号制御無線親局１は、信号制御無線子局２Ａ，２Ｂ，２Ｃから受けた応答信号を、自己の親局アンテナ１１ａおよび親局アンテナ１１ｂの双方により受信する。そして、信号制御無線親局１は、親局アンテナ１１ａにより受信された応答信号および親局アンテナ１１ｂにより受信された応答信号のうち、受信電力が大きい方の応答信号を選択する（ステップＳ２５）。
【０１２４】
次に、信号制御無線親局１は、親局アンテナ１１ａ，１１ｂのうち、ステップＳ１３において選択した無線信号に対応する親局アンテナを、応答信号の送信に用いる親局アンテナとして決定する（ステップＳ２６）。
【０１２５】
そして、信号制御無線親局１は、ステップＳ２６において決定した親局アンテナを用いて、ステップＳ２５において選択した応答信号を無線中央局４へ送信する（ステップＳ２７）。
【０１２６】
次に、無線中央局４は、信号制御無線親局１から受信した応答信号を、中央処理装置３へ送信する（ステップＳ２８）。これにより、たとえば、中央処理装置３が設置されている交通管制センターにおいて、信号制御無線子局２Ａ，２Ｂ，２Ｃおよび交通信号制御機７Ａ，７Ｂ，７Ｃのそれぞれに対して、災害時用の制御情報が正常に送信されているか否かを把握することができる。
【０１２７】
このように、ステップＳ１１からステップＳ２８において制御情報の送受信および応答信号の送受信が行われる。たとえば、防災型信号制御無線システム１００では、ステップＳ１１からステップＳ２８までの動作を１サイクルとして、このサイクルが繰り返し実行される。
【０１２８】
信号制御無線親局１は、親局アンテナ１１ａ，１１ｂのうち、あるサイクルにおいて無線中央局４との間で通信品質の良い方の親局アンテナを、当該サイクルにおいて無線中央局４との間の通信で使用する親局アンテナとして決定する。また、信号制御無線子局２Ａ，２Ｂ，２Ｃは、子局アンテナ２１ａ，２１ｂのうち、あるサイクルにおいて信号制御無線親局１との間で通信品質の良い方の子局アンテナを、当該サイクルにおいて信号制御無線親局１との間の通信で使用する子局アンテナとして決定する。
【０１２９】
なお、上述した例では、中央処理装置３と信号制御無線親局１との間における無線通信は無線中央局４を経由しているが、必ずしも無線中央局４を経由する必要はない。たとえば、信号制御無線親局１が交通管制センターに設けられ、信号制御無線親局１と中央処理装置３との間で直接、信号の送受信が行われる構成であっても良い。
【０１３０】
ところで、防災型信号制御無線システムにおいて、中継局は、一般的に、信号灯器ごとに設けられた複数の無線機への制御情報の送信を可能にするため、無指向性のアンテナが用いられる。しかしながら、比較的高い位置に取り付けられている無指向性のアンテナであっても、周囲の環境の影響を受けることにより、方向によっては無線信号の受信電力に強弱の差が生じてしまうことがある。そして、中継局のアンテナにより送信される無線信号の減衰が大きくなる方向に無線機が設置されている場合、当該無線機へ良好な品質で制御情報の送信を行うことができず、信号灯器の点灯制御に支障をきたす虞がある。
【０１３１】
また、中継局から無線機への無線信号の送信電力を大きくすることによって、中継局と無線機との間における通信品質の向上を図ることが考えられる。しかしながら、無線設備規則によって、道路交通情報通信を行う無線局による送信電力の許容値には上限が定められており（無線設備規則第１４条）、この上限を超える電力で無線信号の送信を行うことはできない。
【０１３２】
これに対して、本発明の実施の形態に係る防災型信号制御無線システム１００では、信号制御無線親局１が、中央処理装置３から信号灯器５Ａ，５Ｂ，５Ｃの点灯の制御に関する制御情報を受信し、受信した制御情報を送信する。また、信号制御無線子局２Ａ，２Ｂ，２Ｃが、信号制御無線親局１から制御情報を受信し、受信した制御情報を送信する。また、交通信号制御機７Ａ，７Ｂ，７Ｃが、信号制御無線子局２Ａ，２Ｂ，２Ｃのうち、対応の信号制御無線子局から制御情報を受信し、受信した制御情報に基づいて信号灯器５Ａ，５Ｂ，５Ｃの点灯を制御する。さらに、信号制御無線親局１は、信号制御無線子局２Ａ，２Ｂ，２Ｃへの制御情報の送信に用いられる親局アンテナを複数含み、信号制御無線子局２Ａ，２Ｂ，２Ｃごとに、親局アンテナ１１ａ，１１ｂのうち少なくともいずれか１つの親局アンテナが対応づけられている。また、信号制御無線親局１は、制御情報に含まれる識別情報に基づいて、制御情報の送信先である信号制御無線子局を特定し、特定した信号制御無線子局に対応づけられた親局アンテナを用いて信号制御無線子局へ制御情報を送信する。また、信号制御無線子局２Ａ，２Ｂ，２Ｃは、信号制御無線親局１から受信した制御情報を、対応の交通信号制御機へ送信し、交通信号制御機から、交通信号制御機が制御情報を正常に受信したか否かを示す応答信号を受信し、受信した応答信号を信号制御無線親局１へ送信する。
【０１３３】
このような構成により、親局アンテナ１１ａ，１１ｂのうち、一部の親局アンテナにより送信される無線信号の受信電力に強弱の差が生じる場合であっても、当該受信電力の小さい方向を、他の親局アンテナから送信される無線信号によって補うことによって、多方向における制御情報の通信品質を向上させることができ、信号灯器５Ａ，５Ｂ，５Ｃの点灯制御を正確に行うことができる。
【０１３４】
また、このような構成により、信号制御無線子局が複数設けられている場合であっても、たとえば、信号制御無線子局２Ａ，２Ｂ，２Ｃごとに、各親局アンテナ１１ａ，１１ｂにより送信される無線信号の減衰度合いの分布と、信号制御無線親局１および信号制御無線子局２Ａ，２Ｂ，２Ｃの設置位置の関係とに基づいて、親局アンテナ１１ａ，１１ｂのうち、各信号制御無線子局が設置されている方向への無線信号の減衰が小さい親局アンテナを、信号制御無線子局ごとに対応づけておくことができる。これにより、信号制御無線子局２Ａ，２Ｂ，２Ｃへの制御情報の送信の度に親局アンテナ１１ａ，１１ｂの中から送信に用いる親局アンテナを選択するなどの複雑な処理を行うことなく、良好な通信品質で信号制御無線子局２Ａ，２Ｂ，２Ｃへ制御情報を送信することができる。
【０１３５】
また、このように、信号制御無線子局２Ａ，２Ｂ，２Ｃが応答信号を信号制御無線親局１へ送信することにより、正確な制御情報を送信することができたか否かを確認することができる。
【０１３６】
また、本発明の実施の形態に係る防災型信号制御無線システム１００では、親局アンテナ１１ａ，１１ｂのうち少なくともいずれか２つは、親局アンテナ１１ａ，１１ｂを取り付けるための取付柱１２を中心として３０°以上離れて設けられている。
【０１３７】
ここで、たとえば信号制御無線親局１が互いに近い距離に設けられた２つの親局アンテナを含む場合であって、取付柱１２の影響を受けることによって、一方の親局アンテナから送信される無線信号の受信電力に強弱の差が生じるとき、他方の親局アンテナから送信される無線信号もまた、取付柱１２によって同様の影響を受ける可能性が高い。すなわち、この場合、一方の親局アンテナから送信される無線信号の減衰が大きくなる方向と、他方の親局アンテナから送信される無線信号減衰が大きくなる方向とが同一の方向となる可能性が高く、当該方向に設置された信号制御無線子局２Ａ，２Ｂ，２Ｃへ良好な通信品質で制御情報を送信することができない虞がある。
【０１３８】
これに対して、上記のように、親局アンテナ１１ａ，１１ｂのうち少なくとも２つは、取付柱１２を中心として３０°以上離れて設けられているため、一方の親局アンテナから送信される無線信号の減衰が大きくなる方向と、他方の親局アンテナから送信される無線信号の減衰が大きくなる方向とが同一の方向となることを防ぎ、多方向における制御情報の通信品質をより確実に向上させることができる。
【０１３９】
また、本発明の実施の形態に係る防災型信号制御無線システム１００では、信号制御無線子局２Ａ，２Ｂ，２Ｃは、信号制御無線親局１からの制御情報の受信に用いられる子局アンテナを複数含む。
【０１４０】
このような構成により、ある子局アンテナを用いた信号制御無線親局１との間の通信品質が十分でない子局アンテナがある場合であっても、信号制御無線親局１との間における通信品質の良い他の子局アンテナを用いて無線通信を行うことにより、信号制御無線親局１から送信される制御情報を良好な通信品質で受信することができる。
【０１４１】
また、本発明の実施の形態に係る防災型信号制御無線システム１００では、信号制御無線子局２Ａ，２Ｂ，２Ｃは、子局アンテナ２１ａ，２１ｂによりそれぞれ受信した無線信号に含まれる制御情報のうち、受信電力が所定条件を満たす無線信号に含まれる制御情報を選択し、選択した制御情報を対応の交通信号制御機へ送信する。また、信号制御無線子局２Ａ，２Ｂ，２Ｃは、交通信号制御機７Ａ，７Ｂ，７Ｃから応答信号を受信すると、子局アンテナ２１ａ，２１ｂのうち、選択した制御情報に対応する子局アンテナを用いて、応答信号を信号制御無線親局１へ送信する。
【０１４２】
このように、たとえば、各子局アンテナ２１ａ，２１ｂにより受信した無線信号のうち、受信電力が最も大きい無線信号に含まれる制御情報を交通信号制御機７Ａ，７Ｂ，７Ｃへ送信するなど、より正確な制御情報を選択して交通信号制御機７Ａ，７Ｂ，７Ｃへ送信することにより、信号灯器５Ａ，５Ｂ，５Ｃの点灯制御をより正確に行うことができる。
【０１４３】
また、このように、既に信号制御無線親局１との通信に用いた子局アンテナを再び用いて応答信号の送信を行うことにより、信号制御無線親局１への応答信号の送信を良好な通信品質で行うことができる。
【０１４４】
（変形例１）
上述した本発明の実施の形態では、信号制御無線親局１が無線中央局４から制御情報を受信する際、信号制御無線親局１は、親局アンテナ１１ａにより受信された無線信号および親局アンテナ１１ｂにより受信された無線信号のうち、受信電力が大きい無線信号を選択する。これに対して、変形例１では、信号制御無線親局１の親局アンテナ１１ａ，１１ｂのうち、無線中央局４との間における無線通信に用いる親局アンテナが予めいずれか一方に定められている場合について説明する。
【０１４５】
ここで、信号制御無線親局１と無線中央局４との設置位置の関係は固定されているため、信号制御無線親局１の親局アンテナ１１ａ，１１ｂのうち、無線中央局４との間における通信品質が良い方の親局アンテナを予め把握することが可能である。
【０１４６】
変形例１に係る信号制御無線親局１において、メモリ１６には、親局アンテナ１１ａ，１１ｂのうち無線中央局４との間における通信品質が良い方の親局アンテナと、無線中央局４とが対応づけられた対応テーブルが記憶されている。ここでは、たとえば、親局アンテナ１１ａが無線中央局４と対応づけられていると仮定する。
【０１４７】
このように構成されている変形例１に係る信号制御無線親局１を備える防災型信号制御無線システム１００によれば、信号灯器５Ａ，５Ｂ，５Ｃの点灯制御の動作において、図１２に示すような動作が行われる。
【０１４８】
図１２は、変形例１に係る防災型信号制御無線システムによる信号灯器の点灯制御の動作手順を示すシーケンス図である。図１２に示すシーケンスでは、図１１に示すシーケンスのステップＳ１３およびステップＳ２６に相当する動作が行われない。
【０１４９】
すなわち、図１２を参照して、中央処理装置３は、制御情報を災害時用に設定し、無線中央局４へ制御情報を含む無線信号を送信する（ステップＳ３１）。そして、無線中央局４は、中央処理装置３から受信した無線信号を信号制御無線親局１へ送信する（ステップＳ３２）。
【０１５０】
次に、信号制御無線親局１は、メモリ１６を参照して、親局アンテナ１１ａ，１１ｂのうち、対応テーブルにおいて無線中央局４と対応づけられている親局アンテナ１１ａを特定する。そして、信号制御無線親局１は、特定した親局アンテナ１１ａにより受信された無線信号に含まれる制御情報を取得し、取得した当該制御情報に含まれる識別情報に基づいて、制御情報の送信先である信号制御無線子局を認識する（ステップＳ３３）。
【０１５１】
次に、ステップＳ３４からステップＳ４４までの動作が行われる。このステップＳ３４からステップＳ４４までの動作は、図１１に示すステップＳ１５からステップＳ２５までの動作と同様であるため、ここでの詳細な説明は繰り返さない。
【０１５２】
そして、信号制御無線親局１は、メモリ１６を参照して、対応テーブルにおいて無線中央局４と対応づけられている親局アンテナ１１ａを用いて、応答信号を無線中央局４へ送信する（ステップＳ４５）。
【０１５３】
次に、無線中央局４は、信号制御無線親局１から受信した応答信号を、中央処理装置３へ送信する（ステップＳ４６）。
【０１５４】
このように、変形例１に係る信号制御無線親局１を備える防災型信号制御無線システム１００によれば、信号制御無線親局１は、親局アンテナ１１ａ，１１ｂのうち所定の親局アンテナを用いて、中央処理装置３から制御情報を受信する。
【０１５５】
このような構成により、たとえば、親局アンテナ１１ａ，１１ｂのうち中央処理装置３との間における通信品質が最も良い親局アンテナを、所定の親局アンテナとして予め対応づけておくことによって、中央処理装置３からの無線信号の受信の度に親局アンテナ１１ａ，１１ｂの中から受信に用いる親局アンテナを選択するなどの複雑な処理を行うことなく、良好な通信品質で中央処理装置３から制御情報をすることができる。
【０１５６】
（変形例２）
また、上述した本発明の実施の形態では、信号制御無線親局１が信号制御無線子局２Ａ，２Ｂ，２Ｃから応答信号を受信する際、信号制御無線親局１は、親局アンテナ１１ａにより受信された応答信号および親局アンテナ１１ｂにより受信された応答信号のうち、受信電力の大きい応答信号を選択する。これに対して、変形例２では、信号制御無線親局１が、信号制御無線子局２Ａ，２Ｂ，２Ｃへ制御情報を送信する際に用いた親局アンテナを再び用いて、当該信号制御無線子局２Ａ，２Ｂ，２Ｃから送信される応答信号を受信する場合について説明する。
【０１５７】
変形例２に係る信号制御無線親局１は、無線中央局４から制御情報を含む無線信号を受信すると、この制御情報に含まれる識別情報に基づいて、制御情報の送信先である信号制御無線子局２Ａ，２Ｂ，２Ｃを認識する。そして、信号制御無線親局１は、メモリ１６に記憶されている対応テーブルを参照して、認識した信号制御無線子局２Ａ，２Ｂ，２Ｃに対応づけられている親局アンテナを選択し、選択した親局アンテナを用いて制御情報を信号制御無線子局２Ａ，２Ｂ，２Ｃへ送信する。
【０１５８】
そして、変形例２に係る信号制御無線親局１は、信号制御無線子局２Ａ，２Ｂ，２Ｃから応答信号を受信する際、制御情報の送信に用いた親局アンテナと同じ親局アンテナを用いて応答信号を受信し、当該応答信号を無線中央局４へ送信する。
【０１５９】
図１３は、変形例２に係る防災型信号制御無線システムによる信号灯器の点灯制御の動作手順を示すシーケンス図である。図１３に示すシーケンスでは、図１１に示すシーケンスのステップＳ２５に相当する動作が行われない。
【０１６０】
すなわち、図１３を参照して、ステップＳ５１からステップＳ６３までの動作は、図１１に示すステップＳ１１からステップＳ２３までの動作と同様であるため、ここでの詳細な説明は繰り返さない。
【０１６１】
次に、信号制御無線親局１は、信号制御無線子局２Ａ，２Ｂ，２Ｃから送信される応答信号を受信する。このとき、信号制御無線親局１は、親局アンテナ１１ａ，１１ｂのうち、ステップＳ５５において選択した親局アンテナを再び選択し、当該親局アンテナを用いて応答信号を受信する（ステップＳ６４）。
【０１６２】
次に、信号制御無線親局１は、親局アンテナ１１ａ，１１ｂのうち、ステップＳ５３において選択した無線信号に対応する親局アンテナを、応答信号の送信に用いる親局アンテナとして決定する（ステップＳ６５）。
【０１６３】
そして、信号制御無線親局１は、ステップＳ６４において決定した親局アンテナを用いて、応答信号を無線中央局４へ送信する（ステップＳ６６）。
【０１６４】
なお、ステップＳ５３において選択された無線信号に対応する親局アンテナ、すなわちステップＳ６６において無線中央局４へ応答信号を送信する親局アンテナと、ステップＳ５５において決定された親局アンテナ、すなわちステップＳ６４において信号制御無線子局２Ａ，２Ｂ，２Ｃから応答信号を受信する親局アンテナとは、同一のものであっても、異なるものであっても良い。
【０１６５】
次に、無線中央局４は、信号制御無線親局１から受信した応答信号を、中央処理装置３へ送信する（ステップＳ６７）。
【０１６６】
このように、変形例２に係る信号制御無線親局１を備える防災型信号制御無線システム１００によれば、信号制御無線親局１は、親局アンテナ１１ａ，１１ｂのうち、信号制御無線子局２Ａ，２Ｂ，２Ｃへの制御情報の送信に用いた親局アンテナを用いて、信号制御無線子局２Ａ，２Ｂ，２から応答信号を受信する。
【０１６７】
このような構成により、信号制御無線親局１が、たとえば、親局アンテナ１１ａ，１１ｂのうち信号制御無線子局２Ａ，２Ｂ，２Ｃとの間における通信品質が最も良い親局アンテナを用いて信号制御無線子局２Ａ，２Ｂ，２Ｃへ制御情報を送信した場合、当該親局アンテナを再び用いて信号制御無線子局２Ａ，２Ｂ，２Ｃから送信される応答信号を受信するため、良好な通信品質で応答信号を受信することができる。
【０１６８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１６９】
１  信号制御無線親局
２Ａ，２Ｂ，２Ｃ  信号制御無線子局
３  中央処理装置
４  無線中央局
５Ａ，５Ｂ，５Ｃ  信号灯器
６Ａ，６Ｂ，６Ｃ  端末アダプタ
７Ａ，７Ｂ，７Ｃ  交通信号制御機
８Ａ，８Ｂ，８Ｃ  発動発電機
１１ａ，１１ｂ  親局アンテナ
１２  取付柱
１３  サーキュレータ
１４  受信部（親局受信部）
１５  信号処理部
１６  送信部（親局送信部）
１７  制御部
１８  受信信号処理部
１９  送信信号処理部
２１ａ，２１ｂ  子局アンテナ
２２  スイッチ
２３  サーキュレータ
２４  受信部（子局受信部）
２５  信号処理部
２６  送信部（子局送信部）
２７  制御部
２８  スイッチ切替部
２９  受信信号処理部
３０  送信信号処理部
３１  信号選択部
３２  接続部
３３  送信アンテナ決定部
３４  受信アンテナ決定部
４１  信号選択部
４２  認識部
４３  送信アンテナ決定部
４４  メモリ
５０  信号制御無線親局
５１  親局アンテナ
５２  取付柱
１００  交通信号制御システム
【図１】
2014052768.tif 000003
【図２】
2014052768.tif 000004
【図３】
2014052768.tif 000005
【図４】
2014052768.tif 000006
【図５】
2014052768.tif 000007
【図６】
2014052768.tif 000008
【図７】
2014052768.tif 000009
【図８】
2014052768.tif 000010
【図９】
2014052768.tif 000011
【図１０】
2014052768.tif 000012
【図１１】
2014052768.tif 000013
【図１２】
2014052768.tif 000014
【図１３】
2014052768.tif 000015